(57)【要約】【課題】  本願は、取り付けやすく、負圧に強いことに加えて、コストの低い屋根材付き太陽光発電パネルを提供することを目的とする。【解決手段】  本願の屋根材付き太陽光発電パネルには、枠体の水下側端縁より突出した係止体が設けられている。取り付けは、下段に施工された屋根材付き太陽光発電パネルが、止着部に止着具が打ち込まれて固定されており、上段に施工する屋根材付き太陽光発電パネルの係止体が、下段の太陽光発電パネルの枠体と屋根材の谷部との間に挿入されて組み合わせられる。【選択図】図１
2014051782.tif 000002
【特許請求の範囲】
【請求項１】
太陽光発電パネルと屋根材とが一体化された
屋根材付き太陽光発電パネルであって、
前記太陽光発電パネルは、
モジュール本体と
その四方に取り付けられた枠体とから成っており、
前記屋根材は、
山部と谷部とを有しており、
軒棟方向に連通する空間が形成されており、
水上側には止着部が形成され、
前記止着部は枠体の水上側端縁より突出する長さを有しており、
前記屋根材付き太陽光発電パネルには、
枠体の水下側端縁より突出した係止体が設けられており、
下段に施工された屋根材付き太陽光発電パネルが、
前記止着部に止着具が打ち込まれて固定されており、
上段に施工する屋根材付き太陽光発電パネルの前記係止体が、
下段の太陽光発電パネルの枠体と屋根材の谷部との間に挿入されて組み合わせられる
ことを特徴とする屋根材付き太陽光発電パネル。
【発明の詳細な説明】
【技術分野】
【０００１】
本願は、太陽光発電パネルと屋根材とが一体化されている、屋根材付き太陽光発電パネルに関するものである。
【背景技術】
【０００２】
従来技術について、図５及び図６で説明する。
【０００３】
図５及び図６は、本願出願人が出願した「屋根材付き太陽光発電パネル及び屋根材付き軒先材」（特許第４８４０５３９号）の技術である。図５及び図６で示した屋根材付き太陽光発電パネルは、太陽光発電パネルと屋根材とが一体化されたものである。この太陽光発電パネルの水下側には水下嵌合部が形成され、水上側には水上嵌合部が形成されている。これらの水下嵌合部と水上嵌合部は、下段の屋根材付き太陽光発電パネルの水上嵌合部に、上段の屋根材付き太陽光発電パネルの水下嵌合部が嵌合される。このようにして、屋根材と太陽光発電パネルを同時に施工できることが特徴である。
【先行技術文献】
【特許文献】
【０００４】
【特許文献１】特許第４８４０５３９号公報
【発明の概要】
【発明が解決しようとする課題】
【０００５】
図５及び図６に示した屋根材付き太陽光発電パネルは、下段の水上嵌合部と上段の水下嵌合部を嵌合することによって屋根上に取り付けられる。したがって、互いに嵌り合う形状である水下嵌合部及び水上嵌合部を形成する必要があった。そのため、厚さ・桁行寸法が異なる様々な太陽光発電パネルに対しては、それぞれに対応する水下嵌合部及び水上嵌合部を加工する必要があった。
【課題を解決するための手段】
【０００６】
本願の屋根材付き太陽光発電パネルは、太陽光発電パネルと屋根材とが一体化されている。太陽光発電パネルは、モジュール本体とその四方に取り付けられた枠体とから成っている。屋根材は、山部と谷部とを有しており、軒棟方向に連通する空間が形成され、水上側には止着部が形成され、止着部は枠体の水上側端縁より突出する長さを有している。この屋根材付き太陽光発電パネルには、枠体の水下側端縁より突出した係止体が設けられている。この屋根材付き太陽光発電パネルの取り付けに際しては、下段に施工された屋根材付き太陽光発電パネルが、止着部に止着具が打ち込まれて固定されており、上段に施工する屋根材付き太陽光発電パネルの係止体が、下段の太陽光発電パネルの枠体と屋根材の谷部との間に挿入されて組み合わせられることを特徴とする。
【発明の効果】
【０００７】
本願の屋根材付き太陽光発電パネルは、本願出願人が有する「屋根材付き太陽光発電パネル及び屋根材付き軒先材」（特許第４８４０５３９号）の技術に対して、改良を加えたものである。したがって、「屋根材付き太陽光発電パネル及び屋根材付き軒先材」（特許第４８４０５３９号）の技術によって得られる効果は、そのまますべて得ることができる。
【０００８】
また、本願の屋根材付き太陽光発電パネルは、下段の水上嵌合部と上段の水下嵌合部を嵌合させるのではなく、下段の太陽光発電パネルの枠体と屋根材の谷部との間に係止体が挿入されることによって取り付けられる。したがって、互いに嵌り合う形状である水下嵌合部及び水上嵌合部を形成させる必要がなく、枠体の水下側端縁より突出した係止体を設けるだけでよい。
【０００９】
さらに、この係止体を別部材としておき、屋根材付き太陽光発電パネルの枠体の水下側端縁に取り付けるようにすれば、異なる厚さ・桁行寸法の太陽光発電パネルに対しても、同じ係止体で対応することができる。
【図面の簡単な説明】
【００１０】
【図１】本願の屋根材付き太陽光発電パネルの実施例を示す説明図である。
【図２】本願の屋根材付き太陽光発電パネルの取り付けの実施例を示す説明図である。
【図３】本願の屋根材付き太陽光発電パネルの取り付けの実施例を示す説明図である。
【図４】本願の屋根材付き太陽光発電パネルの取り付けの実施例を示す説明図である。
【図５】従来技術の説明図である。
【図６】従来技術の説明図である。
【実施例】
【００１１】
本願の屋根材付き太陽光発電パネルについて、図１から図４までにより説明する。
【００１２】
図１は、本願の屋根材付き太陽光発電パネルの一例である。図２は、本願の屋根材付き太陽光発電パネルの組合せの一例である。図３及び図４は、本願の屋根材付き太陽光発電パネルの組合せの一例であり、組合せ箇所の拡大図である。
【００１３】
まず、図１により、本願の屋根材付き太陽光発電パネルの実施例について説明する。本願の屋根材付き太陽光発電パネルＡは、太陽光発電パネル１と屋根材２とが一体化されている。
【００１４】
太陽光発電パネル１は、モジュール本体１１とその四方に取り付けられた枠体１２とから成っている。
【００１５】
図１に示した通り、屋根材２は、山部２１と谷部２２とを交互に形成したものであり、軒棟方向に連通する空間を有している。山部と谷部とを交互に形成した波状のものでもよいし、谷部を広くした形状又は、谷部を狭くした形状でもよい。なお、屋根材２の水上側には、止着部２３が形成されている。その止着部２３に止着穴２３ａを形成させてもよい。太陽光発電パネルと屋根材２とが一体化されたときに、屋根材２の水上側は、止着部２３が枠体１２の水上側端縁より突出する長さを有している。こうすることによって、屋根材付き太陽光発電パネルＡが軒棟方向に組み合わせられたときに、下段の止着部２３の上に、上段の屋根材付き太陽光発電パネルＡがかぶるようになり、止着穴２３ａからの浸水が発生しない。
【００１６】
本願の屋根材付き太陽光発電パネルＡには、枠体１２の水下側端縁よりも外側に突出した係止体３が設けられている。この係止体３は、別部材として形成して、水下側の枠体１２に取り付けられているのが望ましい。ただし、本実施例は一例であり、係止体３は、下段の太陽光発電パネル１の枠体１２と屋根材２の谷部２２との間に挿入される位置に形成されていればよく、係止体３自体の形成方法・形状等は問わない。たとえば、水下側の枠体１２の一部として係止体３が一体形成されていてもよい。また、係止体３は、屋根材付き太陽光発電パネルＡを取り付けるための強度の面から、複数設けることが望ましい。ただし、本実施例においては３つの係止体３・３・３を形成しているが、それに限定するものではなく、係止体３を設ける数は問わない。
【００１７】
次に、図２から図４により、屋根材付き太陽光発電パネルＡの実施例の取り付け状態について説明する。
【００１８】
屋根材付き太陽光発電パネルＡは、軒棟方向は水下側から水上側に向かって取り付けていく。言いかえると、下段に施工された屋根材付き太陽光発電パネルＡに、上段に施工する屋根材付き太陽光発電パネルＡが組み合わされて設置されていく。なお、下段に施工された屋根材付き太陽光発電パネルＡは、止着部２３に止着具Ｃが打ち込まれて固定されている。この下段に施工された屋根材付き太陽光発電パネルＡの水上側枠体１２と屋根材２の谷部２２との間に対して、上段に施工する屋根材付き太陽光発電パネルＡの係止体３が水上側から挿入されて組み合わせられる。このとき、下段と上段の枠体１２・１２同士が当接又は近接した状態に設置される。
【００１９】
本願の屋根材付き太陽光発電パネルＡは、軒棟方向に隣り合う太陽光発電パネル１・１同士の間から雨水が浸入しても、下段の屋根材２上に滴下されて排水される構造になっている。したがって、下段と上段の枠体１２・１２同士は、当接した状態に設置されても、近接した状態に設置されてもよい。そのため、たとえば、係止体３に立上げ片を形成させ、そこが下段と上段の枠体１２・１２同士に挟まれる形状にしてもよい。そして、その立上げ片に導通用突起を設けて下段と上段の枠体１２・１２同士を導通させるなどの機能を付加してもよい。また、軒棟方向に隣り合う太陽光発電パネル１・１同士の間から屋根材側２に滴下する水量を減少させるために、下段と上段の枠体１２・１２同士の間に止水材を挟んでもよい。
【００２０】
このように、下段の屋根材付き太陽光発電パネルＡの枠体１２の水上側端縁と屋根材２の谷部２２との間に係止体３を挿入させた後、止着部２３に形成された止着穴２３ａに止着具Ｃを打ち込んで、上段の屋根材付き太陽光発電パネルＡは下地材Ｂに固定される。この手順を繰り返すことによって、屋根材２と太陽光発電パネル１の両方の施工ができる。
【００２１】
本願の屋根材付き太陽光発電パネルＡは施工されると、止着具Ｃによって止着部２３が止着されていると共に、下段の屋根材付き太陽光発電パネルＡの水上側の枠体１２に対して屋根材２側に、上段の係止体３が挿入された状態になる。そのため、屋根材付き太陽光発電パネルＡに負圧が掛かった場合、下段の屋根材付き太陽光発電パネルＡの水上側の枠体１２に対して、上段の係止体３が屋根材２側から引っ掛かることによって、剥がれるのを防ぐ構造になっている。したがって、負圧に大変強い構造であると言える。
【符号の説明】
【００２２】
Ａ      屋根材付き太陽光発電パネル
１      太陽光発電パネル
１１    モジュール本体
１２    枠体
２      屋根材
２１    山部
２２    谷部
２３    止着部
２３ａ  止着穴
３      係止体
Ｂ      下地材
Ｃ      止着具
【図１】
2014051782.tif 000003
【図２】
2014051782.tif 000004
【図３】
2014051782.tif 000005
【図４】
2014051782.tif 000006
【図５】
2014051782.tif 000007
【図６】
2014051782.tif 000008